(57)【要約】      （修正有）【課題】ホームサーバにＡＶデータを記憶しておくことにより，ネットワークを介して，該ホームサーバに車載ＡＶ装置からアクセスすることで，ＡＶデータを記録した記録媒体の持ち運びを必要とせず，所望のＡＶデータを視聴可能とする視聴システム，及び視聴方法を提供する。【解決手段】ネットワーク接続手段とＡＶデータ再生手段とを有する車載ＡＶ装置から，ネットワークを介して，ＡＶデータを記憶手段に記憶したホームサーバにアクセスし，所定のＡＶデータを車載ＡＶ装置にて再生することを特徴する車載ＡＶ装置によるホームサーバに記憶されたＡＶデータ視聴システム。【選択図】図１
2005223648.tif 000002
【特許請求の範囲】
【請求項１】
ネットワーク接続手段とＡＶデータ再生手段とを有する車載ＡＶ装置から，
ネットワークを介して，
ＡＶデータを記憶手段に記憶したホームサーバにアクセスし，
所定のＡＶデータを車載ＡＶ装置にて再生することを特徴とする，
車載ＡＶ装置によるホームサーバに記憶されたＡＶデータ視聴システム。
【請求項２】
ネットワークを通して相互に交信が可能な車載ＡＶ装置とホームサーバーとを含み，
ホームサーバは，
ユーザが操作する車載ＡＶ装置からの視聴要求に応じてネットワークを通して該ホームサーバに記憶されたＡＶデータを配信可能なものであり，
ネットワーク接続手段と，
音楽データ，映像データ，画像データ，文書データ等のＡＶデータを記憶蓄積する記憶手段と，
前記ＡＶデータについて，タイトル名，データの種類，再生時間，データ容量等のＡＶデータ識別情報を，相互に関連付けて，かつ識別情報が検索可能な形態で，記憶したＡＶ情報データベースと，
ネットワークを通して車載ＡＶ装置から視聴要求される対象となるＡＶデータの検索要求に応答して，検索要求に含まれる検索条件に合致するＡＶデータ識別情報を取得する検索手段と，
取得したＡＶデータ識別情報の一覧表を車載ＡＶ装置において表示可能な形態で検索要求した車載ＡＶ装置に送信する第一の手段と，
車載ＡＶ装置において表示された一覧表の中から選択された視聴対象のＡＶデータを，車載ＡＶ装置に送信する第二の手段とを備えており，
車載ＡＶ装置は，
ネットワークを通して，視聴希望するＡＶデータをホームサーバから受信し再生可能なものであり，
ネットワーク接続手段と，
ホームサーバに記憶されたＡＶデータのＡＶデータ識別情報の一覧表を表示する表示手段と，
前記一覧表において所定の識別情報を選択する選択手段と，
選択した識別情報をホームサーバに送信し，ホームサーバから送信されたＡＶデータを受信するデータ送受信手段と，
該ホームサーバから送信されたＡＶデータを再生する再生手段と，を備えたことを特徴とする
車載ＡＶ装置によるホームサーバに記憶されたＡＶデータ視聴システム。
【請求項３】
ネットワーク接続手段とＡＶデータ再生手段とを有する車載ＡＶ装置により，
ネットワークを介して，
ＡＶデータを記憶手段に記憶したホームサーバにアクセスし，
車載ＡＶ装置にて所望するＡＶデータを該車載ＡＶ装置にて再生するＡＶデータ視聴方法であって，
ネットワークを通して車載ＡＶ装置からの視聴要求をホームサーバが受信して，記憶手段に記憶されたＡＶデータのタイトル名，データの種類，再生時間，データ容量等のＡＶデータ識別情報を，相互に関連付けて，かつ識別情報が検索可能な形態で，記憶したＡＶ情報データベースを参照し，
前記識別情報を含む一覧表を，車載ＡＶ装置において表示可能な形態で生成して，視聴要求をした車載ＡＶ装置に送信し，
車載ＡＶ装置において表示された一覧表の中から，所定の識別情報を選択してホームサーバに送信し，
ホームサーバは，識別情報に該当するＡＶデータを該ＡＶ情報データベースを元に記憶手段から読み出して，ＡＶデータを車載ＡＶ装置に送信し，
車載ＡＶ装置における再生手段によりＡＶデータを再生する過程を含む，
車載ＡＶ装置によるホームサーバに記憶されたＡＶデータ視聴方法。
【発明の詳細な説明】
【技術分野】
【０００１】
本発明は，ネットワークを通して，車載ＡＶ装置から，ホームサーバに記憶されたＡＶデータを視聴する技術に関するものである。
【背景技術】
【０００２】
近年，自家用車等車の中でＡＶデータを視聴する機会が増えている。運転中における音楽や映像の視聴のため，車載ＡＶ機器の進歩が目覚しい。視聴手段も多岐にわたり，例えば，ＡＶデータのなかで媒体（メディア）を介して視聴する音楽データにおいては，かつて主流であったカセットテーププレーヤーからＣＤ（Compact Disk）プレーヤーに変わり，さらにはＭＤ（Mini Disk）プレーヤーや，ＤＶＤ（Digital Versatile
Disk）プレーヤーを用いた視聴が行われている。映像データにおいては，映像を記録した媒体（ＤＶＤ）をＤＶＤプレーヤーにて再生し，車内に備えたＶＤＴ（Video
Display Terminal）により表示，視聴することが多い。
【０００３】
一方，車内において音楽や映像などＡＶデータを視聴する場合においては，前述したように，特許文献１に示されたような第１，第２のソース等，即ちカセットテープやＣＤ，ＭＤ，ＤＶＤなどのＡＶデータを記録した媒体を車内に持ち込んで視聴していた。即ち，ユーザは，販売店などで購入した音楽ＣＤやカセットテープ，またユーザが録音作成したＣＤやカセットテープを，ユーザーの自宅等住居側のＡＶデータ再生装置（カセットテーププレーヤーやＣＤプレーヤー，ＭＤプレーヤー，ＤＶＤプレーヤーなど）で視聴する場合と，車側の車載ＡＶ装置で視聴する場合とで，共用を行っていた。
【０００４】
また，購入した音楽ＣＤやカセットテープ等，またユーザが録音作成したＣＤやカセットテープ等から，車のドライブ用に，ユーザが気に入った楽曲を選択，ダビング編集してお気に入りのＣＤやカセットテープを作成して車内で視聴していた。インターネットを介してダウンロード購入した音楽データについても，車内で視聴するために，予めユーザーの自宅等住居側のＰＣなどを用いて，記録用ＣＤやＭＤなどに記録して車内に持ち込んで視聴していた。
【０００５】
さらに，映画や，ビデオカメラなどで撮影した映像データ（ＤＶＤやビデオテープに記録されたもの）についても，音楽データと同様，通常ユーザーの自宅等住居側のＡＶデータ再生装置（ＤＶＤプレーヤーやビデオデッキなど）で視聴する場合と，車側の車載ＡＶ装置で視聴する場合とで共用を行っていた。
【０００６】
【特許文献１】特願２００３−１５７６６５号  （第００１８項，第１図）
【発明の開示】
【発明が解決しようとする課題】
【０００７】
しかしながら，前述したような，音楽データや映像データを，カセットテープやＣＤ，ＭＤ，ＤＶＤなどの記録媒体に記録して，車載ＡＶ装置で視聴する場合においては，該カセットテープやＣＤ，ＭＤ，ＤＶＤなどの記録媒体を，物理的にユーザーの自宅等住居側から持ち出すとともに車内に持ち込んで視聴を行うため，視聴する可能性のある記録媒体は出発前には予め車内に持ち込んでおく必要があった。出発後に忘れたことを気付いた場合には，取りに戻るかあきらめるかしかなかった。また，記録媒体がたくさんある場合には車内における保管スペースが多く必要であった。また，車のドライブ用に，視聴したい楽曲を予め編集して，カセットテープやＣＤ，ＭＤ，ＤＶＤなどの記録媒体に記録しておく必要があり，編集作業に手間がかかるという問題があった。さらに，車のドライブ時に持ち忘れを防ぐ目的で，ユーザーの自宅等住居側と車側との両方に記録媒体を保管しておく場合など，二重の管理が必要になりコストと手間がかかるという問題があった。
【０００８】
そこで本件の発明はこのような事情に鑑みてなされたものであり，その目的とするところは，予めユーザーの自宅等住居側に設けたホームサーバにＡＶデータを記憶しておくことにより，ネットワークを介して，該ホームサーバに車載ＡＶ装置からアクセスすることで，ＡＶデータを記録した記録媒体の持ち運びを必要とせず，所望のＡＶデータを視聴可能とする視聴システム，及び視聴方法を提供することにある。
【課題を解決するための手段】
【０００９】
上述の目的を達成するために，請求項１の発明では，ネットワーク接続手段とＡＶデータ再生手段とを有する車載ＡＶ装置から，ネットワークを介して，ＡＶデータを記憶手段に記憶したホームサーバにアクセスし，所定のＡＶデータを車載ＡＶ装置にて再生することを特徴として，車載ＡＶ装置によるホームサーバに記憶されたＡＶデータ視聴システムを提供したものである。
【００１０】
また，請求項２の発明では，ネットワークを通して相互に交信が可能な車載ＡＶ装置とホームサーバーとを含み，ホームサーバは，ユーザが操作する車載ＡＶ装置からの視聴要求に応じてネットワークを通して該ホームサーバに記憶されたＡＶデータを配信可能なものであり，ネットワーク接続手段と，音楽データ，映像データ，画像データ，文書データ等のＡＶデータを記憶蓄積する記憶手段と，前記ＡＶデータについて，タイトル名，データの種類，再生時間，データ容量等のＡＶデータ識別情報を，相互に関連付けて，かつ識別情報が検索可能な形態で，記憶したＡＶ情報データベースと，ネットワークを通して車載ＡＶ装置から視聴要求される対象となるＡＶデータの検索要求に応答して，検索要求に含まれる検索条件に合致するＡＶデータ識別情報を取得する検索手段と，取得したＡＶデータ識別情報の一覧表を車載ＡＶ装置において表示可能な形態で検索要求した車載ＡＶ装置に送信する第一の手段と，車載ＡＶ装置において表示された一覧表の中から選択された視聴対象のＡＶデータを，車載ＡＶ装置に送信する第二の手段とを備えており，車載ＡＶ装置は，ネットワークを通して，視聴希望するＡＶデータをホームサーバから受信し再生可能なものであり，ネットワーク接続手段と，ホームサーバに記憶されたＡＶデータのＡＶデータ識別情報の一覧表を表示する表示手段と，前記一覧表において所定の識別情報を選択する選択手段と，選択した識別情報をホームサーバに送信し，ホームサーバから送信されたＡＶデータを受信するデータ送受信手段と，該ホームサーバから送信されたＡＶデータを再生する再生手段と，を備えたことを特徴として車載ＡＶ装置によるホームサーバに記憶されたＡＶデータ視聴システムを提供したものである。
【００１１】
また，請求項３の発明では，ネットワーク接続手段とＡＶデータ再生手段とを有する車載ＡＶ装置により，ネットワークを介して，ＡＶデータを記憶手段に記憶したホームサーバにアクセスし，車載ＡＶ装置にて所望するＡＶデータを該車載ＡＶ装置にて再生するＡＶデータ視聴方法であって，ネットワークを通して車載ＡＶ装置からの視聴要求をホームサーバが受信して，記憶手段に記憶されたＡＶデータのタイトル名，データの種類，再生時間，データ容量等のＡＶデータ識別情報を，相互に関連付けて，かつ識別情報が検索可能な形態で，記憶したＡＶ情報データベースを参照し，前記識別情報を含む一覧表を，車載ＡＶ装置において表示可能な形態で生成して，視聴要求をした車載車載ＡＶ装置に送信し，車載ＡＶ装置において表示された一覧表の中から，所定の識別情報を選択してホームサーバに送信し，ホームサーバは，識別情報に該当するＡＶデータを該ＡＶ情報データベースを元に記憶手段から読み出して，ＡＶデータを車載ＡＶ装置に送信し，車載ＡＶ装置における再生手段によりＡＶデータを再生する過程を含むことを特徴として，車載ＡＶ装置によるホームサーバに記憶されたＡＶデータ視聴方法を提供したものである。
【発明の効果】
【００１２】
上記第一の課題解決手段によれば，ネットワーク接続手段とＡＶデータ再生手段とを有する車載ＡＶ装置から，ネットワークを介して，ＡＶデータを記憶手段に記憶したホームサーバにアクセスし，所定のＡＶデータを車載ＡＶ装置にて再生することを特徴として，車載ＡＶ装置によるホームサーバに記憶されたＡＶデータ視聴システムを提供したため，ＡＶデータを記録した記録媒体の持ち運びを必要とせず，ホームサーバに購入または作成したＡＶデータを記憶しておきさえすれば，煩わしさなく，車載ＡＶ装置から記憶されたＡＶデータを視聴可能な視聴システムを提供できるという効果がある。
【００１３】
上記第二の課題解決手段によれば，ネットワークを通して相互に交信が可能な車載ＡＶ装置とホームサーバーとを含み，ホームサーバは，ユーザが操作する車載ＡＶ装置からの視聴要求に応じてネットワークを通して該ホームサーバに記憶されたＡＶデータを配信可能なものであり，ネットワーク接続手段と，音楽データ，映像データ，画像データ，文書データ等のＡＶデータを記憶蓄積する記憶手段と，前記ＡＶデータについて，タイトル名，データの種類，再生時間，データ容量等のＡＶデータ識別情報を，相互に関連付けて，かつ識別情報が検索可能な形態で，記憶したＡＶ情報データベースと，ネットワークを通して車載ＡＶ装置から視聴要求される対象となるＡＶデータの検索要求に応答して，検索要求に含まれる検索条件に合致するＡＶデータ識別情報を取得する検索手段と，取得したＡＶデータ識別情報の一覧表を車載ＡＶ装置において表示可能な形態で検索要求した車載ＡＶ装置に送信する第一の手段と，車載ＡＶ装置において表示された一覧表の中から選択された視聴対象のＡＶデータを，車載ＡＶ装置に送信する第二の手段とを備えており，車載ＡＶ装置は，ネットワークを通して，視聴希望するＡＶデータをホームサーバから受信し再生可能なものであり，ネットワーク接続手段と，ホームサーバに記憶されたＡＶデータのＡＶデータ識別情報の一覧表を表示する表示手段と，前記一覧表において所定の識別情報を選択する選択手段と，選択した識別情報をホームサーバに送信し，ホームサーバから送信されたＡＶデータを受信するデータ送受信手段と，該ホームサーバから送信されたＡＶデータを再生する再生手段と，を備えたことを特徴として車載ＡＶ装置によるホームサーバに記憶されたＡＶデータ視聴システムを提供したため，ＡＶデータを記録した記録媒体の持ち運びを必要とせず，ホームサーバに購入または作成したＡＶデータを記憶しておきさえすれば，煩わしさなく，車載ＡＶ装置からホームサーバに記憶されたＡＶデータを視聴できるとともに，所望するＡＶデータを容易に検索，選択して視聴可能な視聴システムを提供できるという効果がある。
【００１４】
上記第三の課題解決手段による効果は，ネットワーク接続手段とＡＶデータ再生手段とを有する車載ＡＶ装置により，ネットワークを介して，ＡＶデータを記憶手段に記憶したホームサーバにアクセスし，車載ＡＶ装置にて所望するＡＶデータを該車載ＡＶ装置にて再生するＡＶデータ視聴方法であって，ネットワークを通して車載ＡＶ装置からの視聴要求をホームサーバが受信して，記憶手段に記憶されたＡＶデータのタイトル名，データの種類，再生時間，データ容量等のＡＶデータ識別情報を，相互に関連付けて，かつ識別情報が検索可能な形態で，記憶したＡＶ情報データベースを参照し，前記識別情報を含む一覧表を，車載ＡＶ装置において表示可能な形態で生成して，視聴要求をした車載ＡＶ装置に送信し，車載ＡＶ装置において表示された一覧表の中から，所定の識別情報を選択してホームサーバに送信し，ホームサーバは，識別情報に該当するＡＶデータを該ＡＶ情報データベースを元に記憶手段から読み出して，ＡＶデータを車載ＡＶ装置に送信し，車載ＡＶ装置における再生手段によりＡＶデータを再生する過程を含むことを特徴として，車載ＡＶ装置によるホームサーバに記憶されたＡＶデータ視聴方法を提供したため，ＡＶデータを記録した記録媒体の持ち運びを必要とせず，ホームサーバに購入または作成したＡＶデータを記憶しておきさえすれば，煩わしさなく，車載ＡＶ装置からホームサーバに記憶されたＡＶデータを視聴できるとともに，所望するＡＶデータを容易に検索，選択して視聴可能な視聴方法を提供できるという効果がある。
【実施例１】
【００１５】
以下，本発明の実施の形態について，図面を用いて詳細に説明する。
【００１６】
図１は本件発明の視聴システムの実施の形態の例を示した概略ブロック構成図である。１００は車載ＡＶ装置，２００はネットワーク，３００はホームサーバを示している。車載ＡＶ装置１００とホームサーバ３００はネットワーク２００を通して相互に交信が可能である。本実施例においては，ネットワーク２００はインターネット網を示し，車載ＡＶ装置１００は該インターネット網と直接接続されるものとして以下説明を行う。
【００１７】
図２，図３には，それぞれ，車載ＡＶ装置１００のブロック構成図，及びホームサーバ３００のブロック構成図を示している。
【００１８】
図２において，車載ＡＶ装置１００は，該車載ＡＶ装置１００をネットワーク２００（インターネット網）に接続するネットワーク接続手段１０１と，視聴するＡＶデータの各種情報や，後述するＡＶデータの一覧表などを表示する液晶や蛍光表示パネルからなる表示手段１０２と，車載ＡＶ装置１００の動作を管理制御する演算手段１０３と，ネットワーク接続手段１０１を介してホームサーバ３００と各種データの交信を行う送受信手段１０４と，ＡＶデータを再生処理する再生手段１０５と，メモリを用いて構成され，ＡＶデータの一時的な記憶場所や，車載ＡＶ装置１００の制御プログラムの記憶場所となる記憶手段１０６と，ＡＶデータの一覧表から所望のＡＶデータを選択したり，各種操作を行う選択手段１０７とを含んで構成されている。
【００１９】
ネットワーク接続手段１０１は，車載ＡＶ装置１００をネットワーク２００（インターネット網）に接続するためのもので，公衆通信回線に無線によって接続し，該公衆通信回線を介してインターネット網と接続され，データを送受信する無線通信手段を備えたものである。
【００２０】
ネットワーク接続手段１０１には固有の識別子が付与され，公衆通信回線に接続した場合には発信元が特定できるように構成されている。具体的には，車載ＡＶ装置１００に，電話番号が付与された無線通信装置をモジュールとして構成配置したり，カード型の携帯電話，即ちＰＣ  Ｃａｒｄ型の，携帯電話やＰＨＳ端末（ＰＣ  ＣａｒｄとはアメリカのPCMCIA（Personal Computer Memory Card International Association）と日本のJEIDA（Japanese
Electronic Industry Development Association）が共同で１９９５年に策定した，ノートパソコン向けの拡張カードの統一規格を意味する。）を車載ＡＶ装置１００に設けたカードスロットに挿入して用いる。尚，携帯電話やＰＨＳの形状としてＣＦ（CompactFlash）タイプも含む。前記識別子としては，電話番号や固有の製造番号等，発信元が特定できる識別子を用いている。
【００２１】
表示手段１０２は，液晶や，蛍光表示パネル，ＥＬパネル（Electroluminescentパネル）等を用いて構成され，ＡＶデータの各種情報や，後述するＡＶデータの一覧表などを表示するものである。
【００２２】
演算手段１０３は，車載ＡＶ装置１００全体にわたって管理制御するもので，ＣＰＵ（中央処理装置）を用いて構成される。該演算手段１０３と接続された，表示手段１０２，送受信手段１０４，再生手段１０５，記憶手段１０６，選択手段１０７等の，各装置の制御やＡＶデータの演算・加工を行ない，記憶手段１０６に記憶された各種プログラムを実行するもので，その演算・加工の結果を出力する。
【００２３】
送受信手段１０４は，ホームサーバ３００にネットワーク接続手段１０１を介してデータを送信したり，ホームサーバ３００からネットワーク接続手段１０１を介してデータを受信する送受信部であり，演算手段１０３から動作の制御を行われる。
【００２４】
再生手段１０５は，ＡＶデータを再生する再生処理部である。本実施例において，再生手段は，符号化されたＡＶデータを再生処理したり，圧縮符号化されたＡＶデータを復号化処理して再生する演算処理部であるが，従来の媒体に記憶されたＡＶデータを再生できるよう，別途ＣＤやＤＶＤ，ＭＤ媒体をセット可能な再生部を設けた構成としても良い。
【００２５】
記憶手段１０６は，ホームサーバ３００から受信するＡＶデータを一時的に記憶したり，または，恒久的に記憶したり，車載ＡＶ装置１００の制御プログラムを記憶しておくためのメモリである。
【００２６】
選択手段１０７は，ＡＶデータの一覧表から所望のＡＶデータを手動で選択するためのものである。車載ＡＶ装置１００の外部から手動操作できるよう操作部を設けており，一意的にデータを選択可能である。また，この選択手段１０７は車載ＡＶ装置１００の各種操作を行うためにも用いられる。
【００２７】
選択手段１０７として，表示手段１０２上にカーソルやポインタを表示させ，それにより所望の箇所を選択できるよう構成している。その他，表示手段にタッチパネルを設けて，ユーザーが直接画面上をタッチすることにより一覧表からデータを選択するような構成としてもよい。
【００２８】
次に，図３に示されたホームサーバ３００について説明を行う。
【００２９】
ホームサーバ３００は，該ホームサーバ３００をネットワーク２００（インターネット網）に接続するためのネットワーク接続手段３０１と，
ＡＶデータや，各種プログラムを記憶する記憶手段３０２と，
ホームサーバ３００を動作を管理制御する演算手段３０３とを含んで構成されている。
【００３０】
ネットワーク接続手段３０１は，ホームサーバ３００をネットワーク２００（インターネット網）に接続するためのもので，本実施例では家庭内ネットワーク（家庭内ＬＡＮ）に接続するためのＬＡＮ接続端子部を意味している。これは，図８に示したように，通常，ホームサーバ３００は家庭内ＬＡＮに接続されて用いるものであり，インターネット網との接続は，別途設けられたモデム及びゲートウエイ（ルーター）を介して行われるという想定をしているためである。尚，ホームサーバ３００を直接ネットワーク２００（インターネット網）に接続して使用する場合には，ネットワーク接続手段３０１とモデムを接続し，所定のネットワーク接続プログラムを記憶手段に記憶させ，演算実行することで対応が可能である。
【００３１】
また，ネットワーク接続手段３０１を，車載ＡＶ装置１００と同様，公衆通信回線に無線によって接続し，該公衆通信回線を介してインターネット網と接続され，データを送受信する無線通信手段（無線通信モジュールやカード型の携帯電話等）を用いて構成することでも対応が可能である。
【００３２】
記憶手段３０２は，ＡＶデータや，各種プログラムを記憶するメモリで構成され，各種ＡＶデータ３０２１，ＡＶ情報データベース３０２２，検索手段，ウェブサーバー３０２４，一覧表示を行う送信プログラム（第一の手段３０２５），ＡＶデータ３０２１を送信するプログラム（第二の手段３０２６）等が記憶されている。尚，メモリとは，半導体メモリや，ハードディスクを用いた記憶装置を含む。
【００３３】
ＡＶデータ３０２１は，音楽データ，映像データ，画像データ，文書データなどのデジタル符号化されたデータである。ＡＶデータ３０２１は，各々，タイトルまたは名称データ，データの種類（動画，静止画，音楽，文書等），再生時間データ，データ容量等の識別情報を有している。
【００３４】
これらの識別情報を相互に関連付けて，なおかつ，識別情報が検索可能な形態で，記憶したものがＡＶ情報データベース３０２２である。
【００３５】
検索手段３０２３は，ＡＶデータ識別情報が含まれたＡＶ情報データベース３０２２を基に作成されたＡＶデータの一覧表から車載ＡＶ装置１００の選択手段１０７により選択された，視聴の対象となるＡＶデータを該ＡＶデータ識別情報により検索するプログラムである。
【００３６】
ウェブサーバー３０２４は，ホームサーバ３００で動作するプログラムであり，ネットワーク２００を介してきた，車載ＡＶ装置１００からの視聴要求や，検索要求を受信し，応答したり，所定の検索プログラムを起動させたり，視聴の対象となるＡＶデータを送信したりするものである。第一の手段３０２５は，ＡＶデータ識別情報に基づいて，ＡＶデータの一覧表を車載ＡＶ装置１００において表示可能な形態で生成し送信するプログラムである。第二の手段３０２６は，視聴対象となるＡＶデータを車載ＡＶ装置１００に向けて送信するためのプログラムである。
【００３７】
次に，以上のように構成された視聴システムの動作について説明を行う。図４には該視聴システムにおける車載ＡＶ装置１００とホームサーバ３００における動作を表したフローチャートを示している。まず，ユーザは車載ＡＶ装置１００を操作し，ホームサーバ３００に向けてＡＶデータ３０２１の視聴要求を送信する（ステップＳ１０１）。
【００３８】
ホームサーバ３００は，該車載ＡＶ装置１００からのＡＶデータ３０２１の視聴要求を受信すると（ステップＳ２０１），記憶手段３０２に記憶されたＡＶ情報データベース３０２２を参照し（ステップＳ２０２），各々のＡＶデータ３０２１に固有なＡＶデータ識別情報を含んだＡＶデータ一覧表を車載ＡＶ装置１００で表示可能な形態で生成し（ステップＳ２０３），視聴要求を行った車載ＡＶ装置１００に向けて該ＡＶデータ一覧表を送信する（ステップＳ２０４）。
【００３９】
車載ＡＶ装置１００は，一覧表を受信すると（ステップＳ１０２），表示手段１０２により該一覧表を表示する（ステップＳ１０３）。ユーザは選択手段１０７を操作して，一覧表の中から所望するＡＶデータ識別情報を選択する（ステップＳ１０４）。ここで，表示手段に表示された一覧表において，選択されるＡＶデータ識別情報などの項目においては選択したことが明確に判るよう，被選択項目を示す文字や図形の色を，未選択項目とは区別できるように変えたり，表示の背景と項目とのコントラストを反転して表示を行うことで選択したことを明確にしている。
【００４０】
選択手段１０７により所望のＡＶデータ識別情報を選択して確定すると，送受信手段１０４により選択したＡＶデータ識別情報をホームサーバ３００に向けて送信する（ステップＳ１０５）。
【００４１】
ホームサーバ３００は，選択されたＡＶデータ識別情報を受信すると（ステップＳ２０５），該ＡＶデータ識別情報に該当するＡＶデータを記憶手段３０２から読み出して，該ＡＶデータを車載ＡＶ装置１００に向けて送信する（ステップＳ２０５）。
【００４２】
車載ＡＶ装置１００は，ＡＶデータを受信すると（ステップＳ１０６），再生手段１０５によりＡＶデータを再生する（ステップＳ１０７）。再生していることは表示手段１０２に表示される。
【００４３】
尚，ホームサーバー３００に記憶されているＡＶデータ３０２１が多く，車載ＡＶ装置１００の表示手段１０２にＡＶデータの一覧表を一度に表示できなく，検索するＡＶデータを絞り込みたい場合や，ＡＶデータ３０２１のジャンルや種類を用いて検索を行いたい場合などには，次のような流れで検索を行う。
【００４４】
ここで，ジャンルや種類とは，ＡＶデータ３０２１の様式・内容によって区分することを意味する。例えば内容が「映像」という区分，「音楽」という区分，「静止画」という区分，「文書」という区分などである。
【００４５】
その他，様式が，データの種類が映像ファイルである場合の「mpg」，「avi」，「mov」，「3gp」，「dat」など特定の映像データフォーマットであることを示す拡張子や，静止画ファイルである場合の「jpg」，「bmp」，「png」，「gif」など特定の画像フォーマットであることを示す拡張子や，音楽ファイルである場合の「mp3」，「wav」，「pcm」など特定の音楽フォーマットであることを示す拡張子で表される区分である。
【００４６】
流れを示した図４のフローチャートの中で，一覧を表示するステップＳ１０３において，表示画面に，ジャンル別，種類別の表示を行う選択項目を設けている。図５に一覧表を表示した画面を示している。映像，音楽，文書の３項目が表示されており，それぞれのデータ数が併せて表示されている。ここで，表示手段に表示された一覧表において，選択されるＡＶデータ識別情報などの項目においては選択したことが明確に判るよう，被選択項目を示す文字や図形の色を，未選択項目とは区別できるように変えたり，表示の背景と項目とのコントラストを反転して，表示を行うことで選択したことを明確にしている。例として図５には映像項目を選択した表示を示している。
【００４７】
選択手段１０７で該ジャンル別，種類別の項目を選択し確定した場合，車載ＡＶ装置１００からホームサーバ３００に向けて，ジャンル別，種類別のＡＶデータ識別情報を含んだ検索要求データが送信される。
【００４８】
該ジャンル別，種類別の検索要求データを受信したホームサーバ３００は，検索条件となる選択されたジャンル，種類のＡＶデータ識別情報に基づき，合致するＡＶデータ識別情報を検索手段３０２３によりＡＶ情報データベース３０２２から検索する。
【００４９】
検索手段３０２３は，ＡＶ情報データベース３０２２から検索条件に合致したＡＶデータ識別情報を抽出し，第一の手段３０２５により，該ＡＶデータ識別情報を含んだ一覧表を車載ＡＶ装置１００において表示可能な形態で生成して，検索元の車載ＡＶ装置１００に向けて送信を行う。
【００５０】
車載ＡＶ装置１００が該一覧表を受信した場合，表示手段には図６や図７に示したような一覧画面が表示される。図６にはホームサーバ３００に記憶されている音楽リスト，図７には映像リストが表示されている。リストには，整理番号を表すＮｏ．（ナンバー），タイトル，アーティスト名，時間，録音日，撮影日などのＡＶデータ識別情報が表示されている。このリストの中から所望のＡＶデータ識別情報を選択することにより，該当するＡＶデータがホームサーバ３００から車載ＡＶ装置１００に送信される。
【００５１】
尚，図４には示していないが，ステップＳ２０１の段階において，ホームサーバ３００が所定のユーザーからの視聴要求を受付けることができるよう，視聴要求を行った発信元を前述した識別子により特定し，予め記憶させておいたユーザーリストと比較処理したうえで，所定の発信元からのみのアクセスを許可している。ユーザー認証プログラムは，ホームサーバ３００の記憶手段３０２に記憶させ，視聴要求があった場合に演算手段により起動動作される。
【００５２】
ユーザーの認証においては，このほかユーザーＩＤ，パスワードの入力によってアクセスを許可し，不特定多数もしくは不正なアクセスを防止するステップを設けてもよい。しかしながら車載ＡＶ装置を用いた操作を想定しているため，ユーザーの操作を軽減すべく前述のアクセス方法をとっている。
【００５３】
次に，本発明における変形実施例について説明を行う。
【００５４】
先の例では，図２に示した車載ＡＶ装置１００において，ネットワーク接続手段１０１として，車載ＡＶ装置１００に，電話番号等の識別番号情報が付与された無線通信装置をモジュールとして構成配置したり，カード型の携帯電話，即ちＰＣ  Ｃａｒｄ型の，携帯電話やＰＨＳ端末を車載ＡＶ装置１００に設けたカードスロットに挿入して用いることを説明した。即ち，ネットワーク接続手段１０１はあくまで，車載ＡＶ装置１００の内部もしくは一体に設けられている構成例であった。
【００５５】
変形実施例では，ネットワーク接続手段１０１として，通常通話を行う携帯電話やＰＨＳ電話を用いる。図９に示したように，車載ＡＶ装置１００にネットワーク接続手段１０１との接続端子部を設けておき，携帯電話やＰＨＳを，通信ケーブルを用いて，車載ＡＶ装置１００に外部から前記接続端子部に接続する。即ち，ネットワーク接続手段１０１は，車載ＡＶ装置１００の外部に設けられる構成である。
【００５６】
この場合には，外部から接続する携帯電話やＰＨＳの制御を行うための制御プログラムを記憶手段１０６に記憶しておく。携帯電話の通信方式として国際電気通信連合(ITU)の標準化によりＩＭＴ−２０００（International Mobile Telecommunication 2000）が定められるなど，通信速度の高速化が図られるため，ネットワーク接続手段を外部接続とすることで，新方式に対応した携帯電話を車載ＡＶ装置１００に接続利用することができ，快適にＡＶデータの視聴が行えるという効果がある。
【００５７】
第二の変形実施例について説明を行う。車載ＡＶ装置１００の構成において，ネットワーク接続手段１０１を，携帯電話やＰＨＳを用いた公衆通信回線に接続する構成とは違えて，無線ＬＡＮに対応した無線通信装置を用いた構成とするものである。無線ＬＡＮとは，無線通信でデータの送受信をするＬＡＮを意味し，ＩＥＥＥ（Institute of Electrical and Electronic Engineers）により標準化されたＥｔｈｅｒｎｅｔ（ＴＭ）規格（ＩＥＥＥ８０２．３）の一部である。現状においては，ＩＥＥＥ８０２．１１ｂ，８０２．１１ａ，８０２．１１ｇなどにより策定されている。
【００５８】
本第二の変形実施例においては，ネットワーク接続手段１０１に無線ＬＡＮを用いてネットワーク接続手段１０１を構成したため，無線ＬＡＮが整備されている場所においては携帯電話やＰＨＳによる通信手段を用いなくとも，即ち公衆通信回線を介さずとも直接インターネット網との通信が行え，ホームサーバ３００に記憶されているＡＶデータ３０２１を視聴できる。
【００５９】
これにより，ネットワーク接続手段１０１として携帯電話やＰＨＳを用いた場合と比べて，より高速に通信が行え，快適にＡＶデータを視聴できるという効果がある。また，直接インターネット網に接続するため，通信コストを低減できるという効果がある。尚，第一の実施例においては，ネットワーク２００はインターネット網を示していたが，例えば，ホームサーバ３００を設置しているユーザーの自宅近辺において，無線ＬＡＮの通信可能範囲においては，ネットワーク２００はＬＡＮを意味し，インターネット網を介さず，ユーザーのＬＡＮ内での通信を行える。
【００６０】
また，このほかネットワーク接続手段１０１を，携帯電話やＰＨＳの公衆通信回線を利用する方式と，無線ＬＡＮの方式との両方を共用できるように構成することにより，自宅から離れており，公衆通信回線のみ使用可能な場合や無線ＬＡＮが使用可能な場合，及び，自宅近辺で直接ＬＡＮに接続可能な場合の複数の使用形態において使用可能となるため，通信速度面やコスト面において利便性のよいＡＶデータの視聴システムを提供できるという効果がある。
【００６１】
尚，第一の実施例においては，車載ＡＶ装置１００として，従来のＣＤやＤＶＤ，ＭＤなどの記録媒体をセット可能な再生部を設けた構成も想定しているが，第三の変形実施例として，車載ＡＶ装置１００をネットワーク接続手段１０１と表示手段１０２を備えた小型のＰＣ（Personal Computer）として構成し，記憶手段１０６に汎用のＯＳ（Operating System）を搭載した構成としても良い。ＯＳには，Microsoft（ＴＭ）社のWindows（ＴＭ）シリーズや，UNIX（ＴＭ）系や，TRON系，その他のＯＳを用いて構成できる。
【００６２】
これにより，例えば，通常のＰＣで使用可能なアプリケーションの流用が可能となり，独自アプリケーションの開発に伴うコスト低減や，種々の汎用アプリケーションを搭載することにより多機能化が容易に行えるなどの効果がある。特にＡＶデータの再生ソフトや文書閲覧ソフト等に汎用アプリケーションソフトを利用できるため，車内にＰＣ装置を持ち込んで音楽再生や，文書の編集等を行ったいたユーザにとっては使い慣れたユーザーインターフェースを使用可能となるため，操作が容易に行え，ＰＣ装置を持ち込む必要がなくなるという効果もある。
【００６３】
次に，インターネットを経由したアクセスについて補足として説明を行う。
【００６４】
現在，インターネットプロトコルとしてＩＰｖ４が広く用いられている。ＩＰｖ４においては，ユーザーに割り当てるグローバルアドレス（インターネットに接続された機器に一意に割り当てられたＩＰアドレス）の個数の枯渇が指摘されており，通常，インターネットサービスプロバイダ（ＩＳＰという）においては，インターネット網に接続するユーザーに対してグローバルアドレスを流動的に用いていることが多い。そのため，ユーザーから見た場合には付与されるグローバルアドレスは時間的に動的に変化する。
【００６５】
ユーザーの自宅等住居側にホームサーバ３００を設置する場合，インターネット網を介した車載ＡＶ装置１００からのアクセスを可能にするために，この動的に変化するグローバルアドレスを知る必要がある。
【００６６】
ホームサーバ３００にインターネット網を介してアクセスするためによく用いられる方法としては，ダイナミックＤＮＳ（ＩＥＴＦによってＲＦＣ  ２１３６として規格化されている）を用いて，予め取得しておいたインターネット上において一意的なホスト名と，動的なグローバルアドレスをＤＮＳレコードを更新することで結び付け，常に同一のホスト名によるアクセスを可能とする方法がある。
【００６７】
最近では，この方法がサービスとして提供されており，Ｗｅｂ上でダイナミックＤＮＳのホスト先としたい端末のグローバルアドレスを登録することでＤＮＳレコードを更新するシステムが一般的である。また，この作業を自動的に行うプログラムも普及しているため，ホームサーバ３００もしくはルーターに該プログラムを記憶，実行させておけば，インターネット網を介して常に同一のホスト名によりアクセスが可能である。
【００６８】
次に，車載ＡＶ装置１００及びホームサーバ３００にＩＰｖ６を適用して構成してもよい。前述したＩＰｖ４と比べてＩＰｖ６においては，ユーザーが確保できるＩＰアドレスの数が飛躍的に増えるため，グローバルアドレスが枯渇するといった問題が回避できる。
【００６９】
また，動的にグローバルアドレスが変化することがなくなるため，一旦ホスト名に対応するＩＰアドレスをＤＮＳに登録しておけば，ダイナミックＤＮＳを用いる場合に必要としていたＤＮＳレコードを更新するためのプログラムが不要となり，ホームサーバ３００やルーターにおける記憶領域の節約につながる。
【００７０】
また，その他の変形実施例として，ホームサーバ３００において，昨今家庭に普及しつつあるハードディスクレコーダーやＤＶＤレコーダー装置を，ホームサーバ３００にネットワーク経由で接続，もしくは，専用線で，双方において通信可能なように接続し，該レコーダー装置に蓄積されたＡＶデータをホームサーバ３００を介して視聴できるように構成してもよい。
【００７１】
このように構成することで，ホームサーバ３００の記憶手段３０２にＡＶデータ３０２１を記憶させる手間が省け，より簡便に使用できるＡＶデータの視聴システムを構成することが可能となる。
【００７２】
尚，車載ＡＶ装置１００へのＡＶデータの送信については，データの全体をダウンロードしてから再生を開始する方式でもよいし，データの一部を受信した場合に再生を開始し，残りのデータは引き続き受信を行うストリーミング方式によってもよい。
【産業上の利用可能性】
【００７３】
本発明は，車載ＡＶ装置からネットワークを介してホームサーバのＡＶデータを視聴するシステム及び視聴方法を提供できるため，ホームユースに限らず，会社にアクセスサーバーを設けておき，社用車に車載ＡＶ装置１００を設けておき，所望のデータをやり取りするといったビジネスユースにも利用可能である。
【図面の簡単な説明】
【００７４】
【図１】本発明のシステムを示した概略ブロック図である。
【図２】車載ＡＶ装置のブロック構成図である。
【図３】ホームサーバのブロック構成図である。
【図４】視聴方法を示したフローチャートである。
【図５】一覧表を示した図である。
【図６】音楽リストを示した図である。
【図７】映像リストを示した図である。
【図８】住宅内におけるネットワーク接続図である。
【図９】変形実施例を示した図である。
【図１０】従来例を示した図である。
【符号の説明】
【００７５】
１００  車載ＡＶ装置
１０１  ネットワーク接続手段
１０２  表示手段
１０３  演算手段
１０４  送受信手段
１０５  再生手段
１０６  記憶手段
１０７  選択手段
２００  ネットワーク
３００  ホームサーバ
３０１  ネットワーク接続手段
３０２  記憶手段
３０２１  ＡＶデータ
３０２２  ＡＶ情報データベース
３０２３  検索手段
３０２４  Ｗｅｂサーバー
３０２５  第一の手段
３０２６  第二の手段
３０３  演算手段
【図１】
2005223648.tif 000003
【図２】
2005223648.tif 000004
【図３】
2005223648.tif 000005
【図４】
2005223648.tif 000006
【図５】
2005223648.tif 000007
【図６】
2005223648.tif 000008
【図７】
2005223648.tif 000009
【図８】
2005223648.tif 000010
【図９】
2005223648.tif 000011
【図１０】
2005223648.tif 000012